【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
入力された文字が表示される入力エリアを有する表示部と、
前記入力された前記文字を前記表示部の前記入力エリアに表示する表示制御部と、を備え、
前記表示制御部は、
前記入力された前記文字を前記表示部の前記入力エリアに表示するとともに、
文字と、当該文字に対応する変換候補と、当該変換候補のカテゴリ又はランクと、が合わせて記憶されたデータベースから、前記入力された前記文字に対応する前記変換候補のうち、前記カテゴリ又は前記ランクが予め定めたカテゴリ又はランクに一致した前記変換候補を読出して、前記表示部に表示する、
ことを特徴とする表示処理装置。
【請求項２】
前記表示制御部は、
前記一致した前記変換候補を前記表示部に表示するとき、前記一致した前記変換候補を、前記一致しなかった前記変換候補よりも大きく表示する拡大表示を行う、
ことを特徴とする請求項１に記載の表示処理装置。
【請求項３】
前記表示制御部は、
前記拡大表示を行った後であって、予め定めた時間が経過したとき、又は、前記変換候補を順送りしたときに、前記一致した前記変換候補の前記拡大表示を終了する、
ことを特徴とする請求項２に記載の表示処理装置。
【請求項４】
前記表示制御部は、
前記拡大表示を終了したとき、前記拡大表示を行わなかった前記変換候補を縮小表示する、
ことを特徴とする請求項３に記載の表示処理装置。
【請求項５】
入力された文字が表示される入力エリアを有する表示部と、前記入力された前記文字を前記表示部の前記入力エリアに表示する表示制御部と、を備える表示処理装置の表示処理方法であって、
前記表示制御部によって、
前記入力された前記文字を前記表示部の前記入力エリアに表示するとともに、
文字と、当該文字に対応する変換候補と、当該変換候補のカテゴリ又はランクと、が合わせて記憶されたデータベースから、前記入力された前記文字に対応する前記変換候補のうち、前記カテゴリ又は前記ランクが予め定めたカテゴリ又はランクに一致した前記変換候補を読出して、前記表示部に表示する、
ことを特徴とする表示処理方法。
【請求項６】
入力された文字が表示される入力エリアを有する表示部と、前記入力された前記文字を前記表示部の前記入力エリアに表示する表示制御部と、を備える表示処理装置に表示処理を行わせるプログラムであって、
前記表示制御部によって、
前記入力された前記文字を前記表示部の前記入力エリアに表示させるとともに、
文字と、当該文字に対応する変換候補と、当該変換候補のカテゴリ又はランクと、が合わせて記憶されたデータベースから、前記入力された前記文字に対応する前記変換候補のうち、前記カテゴリ又は前記ランクが予め定めたカテゴリ又はランクに一致した前記変換候補を読出して、前記表示部に表示させる、
ことを特徴とする表示処理プログラム。
【手続補正２】
【補正対象書類名】明細書
【補正対象項目名】発明の名称
【補正方法】変更
【補正の内容】
【発明の名称】表示処理装置、表示処理方法、及び、表示処理プログラム
【手続補正３】
【補正対象書類名】明細書
【補正対象項目名】０００１
【補正方法】変更
【補正の内容】
【０００１】
本発明は、表示処理装置、表示処理方法、及び、表示処理プログラムに関する。
【手続補正４】
【補正対象書類名】明細書
【補正対象項目名】０００７
【補正方法】変更
【補正の内容】
【０００７】
本発明に係る表示処理装置は、入力された文字が表示される入力エリアを有する表示部と、前記入力された前記文字を前記表示部の前記入力エリアに表示する表示制御部と、を備え、前記表示制御部は、前記入力された前記文字を前記表示部の前記入力エリアに表示するとともに、文字と、当該文字に対応する変換候補と、当該変換候補のカテゴリ又はランクと、が合わせて記憶されたデータベースから、前記入力された前記文字に対応する前記変換候補のうち、前記カテゴリ又は前記ランクが予め定めたカテゴリ又はランクに一致した前記変換候補を読出して、前記表示部に表示する、ことを特徴とする。
【手続補正５】
【補正対象書類名】明細書
【補正対象項目名】０００８
【補正方法】変更
【補正の内容】
【０００８】
本発明に係る表示処理方法は、入力された文字が表示される入力エリアを有する表示部と、前記入力された前記文字を前記表示部の前記入力エリアに表示する表示制御部と、を備える表示処理装置の表示処理方法であって、前記表示制御部によって、前記入力された前記文字を前記表示部の前記入力エリアに表示するとともに、文字と、当該文字に対応する変換候補と、当該変換候補のカテゴリ又はランクと、が合わせて記憶されたデータベースから、前記入力された前記文字に対応する前記変換候補のうち、前記カテゴリ又は前記ランクが予め定めたカテゴリ又はランクに一致した前記変換候補を読出して、前記表示部に表示する、ことを特徴とする。
また、本発明に係る表示処理プログラムは、入力された文字が表示される入力エリアを有する表示部と、前記入力された前記文字を前記表示部の前記入力エリアに表示する表示制御部と、を備える表示処理装置に表示処理を行わせるプログラムであって、前記表示制御部によって、前記入力された前記文字を前記表示部の前記入力エリアに表示させるとともに、文字と、当該文字に対応する変換候補と、当該変換候補のカテゴリ又はランクと、が合わせて記憶されたデータベースから、前記入力された前記文字に対応する前記変換候補のうち、前記カテゴリ又は前記ランクが予め定めたカテゴリ又はランクに一致した前記変換候補を読出して、前記表示部に表示させる、ことを特徴とする。
【手続補正６】
【補正対象書類名】明細書
【補正対象項目名】０００９
【補正方法】変更
【補正の内容】
【０００９】
本発明によれば、入力された文字に対応する変換候補のうち、予め定めたカテゴリ又はランクに一致した変換候補の選択決定を容易とすることを可能にした表示処理装置、表示処理方法、及び、表示処理プログラムを提供することができる。
【手続補正７】
【補正対象書類名】明細書
【補正対象項目名】００１１
【補正方法】変更
【補正の内容】
【００１１】
以下、本発明の実施形態を図に基づいて詳説する。本発明は、多数の宛名や住所等を装置内に入力するべく文字入力を行う際の変換候補表示装置（表示処理装置）として使用することのできる印刷装置1であって、葉書等に宛名や文章等を印刷することのできる印刷装置1を説明する。
【手続補正８】
【補正対象書類名】明細書
【補正対象項目名】００５５
【補正方法】変更
【補正の内容】
【００５５】
更に、カウンタ値に「１」を加える処理（ステップＳ１３５）の後、カウンタ値が「Ｋ」を越えたか否かの判断（ステップＳ１４０）を行い、カウンタ値が「Ｋ」を越えたか否かの判断（ステップＳ１４０）においてインデックス番号であるカウンタ値ｉが「Ｋ」を越えていないときは、変換候補文字の処理であり、テーブルヒット検索（ステップＳ１４５）、ボタンサイズの算出（ステップＳ１５０）を行い、候補表示エリア81に表示可能か否かの判断を行う表示可能判断（ステップＳ１５５）を行う。
【手続補正９】
【補正対象書類名】明細書
【補正対象項目名】００５９
【補正方法】変更
【補正の内容】
【００５９】
更に、先頭文字番号記録（ステップＳ１６０）及び末尾文字番号記録（ステップＳ１６５）を行った後、表示ボタンデータに基づいて表示ボタンを候補表示エリア81に表示して対応変換文字列を表示するボタン表示（ステップＳ１７０）を行うものであり、このボタン表示に際しては先頭の変換候補文字の表示ボタンをスポット表示とするものである。
【手続補正１０】
【補正対象書類名】明細書
【補正対象項目名】００６５
【補正方法】変更
【補正の内容】
【００６５】
このカウンタ値が「Ｋ」を越えたか否かの判断（ステップＳ１４０）においてカウンタ値ｉが「Ｋ」を越えていないときは、変換候補文字の処理であり、テーブルヒット検索（ステップＳ１４５）、ボタンサイズの算出（ステップＳ１５０）を行い、候補表示エリア81に表示可能か否かの判断を行う表示可能判断（ステップＳ１５５）を行う。
【手続補正１１】
【補正対象書類名】明細書
【補正対象項目名】００６７
【補正方法】変更
【補正の内容】
【００６７】
このようにして、拡大表示を終了することにより優先対応文字とされた拡大表示の表示ボタンを標準の大きさの表示ボタンとし、候補表示エリア81に表示可能な表示ボタンの個数が増加すれば、図７に示すように、変換候補文字として、図７の（ａ）に示した拡大文字を含む表示から、変換候補文字が残っている場合には、図７の（ｂ）に示すように追加表示をおこなうことができる。